(57)【要約】【課題】  柱上変圧器の二次ブッシング保護カバー等の固定ピンの押込みに用いる固定ピン押込み用具を提供すること。【解決手段】  固定ピン押込み工具（１）は、枢着部（６）で回動可能に枢着された一対の操作レバー（２ａ・２ｂ）からなり、第１操作レバー（２ａ）は平板部（４）を、第２操作レバー（２ｂ）は固定ピン保定部（５）をそれぞれ他端に備える。固定ピン（７）の先端部（８）を部材の貫通孔にあてがい、平板部（４）を固定ピン（７）の底部（９）側に、保定部（５）を先端部（８）側に配置して、握持部を握りこむ。平板部（４）と保定部（５）とを協働させることにより、固定ピン（７）の先端部（８）を貫通孔に貫通させ、部材を固定する。【選択図】  図１
2007005413.tif 000002
【特許請求の範囲】
【請求項１】
一対の操作レバーを回動可能に交叉枢着させてなる固定ピン押込み工具であって、
前記操作レバーのうち第１操作レバーは一端に第１握持部を、他端に平板部を備え、
第２操作レバーは一端に第２握持部を、他端に固定ピン保定部を備え、
前記第１操作レバーおよび前記第２操作レバーを握持内方向に操作して前記平板部と前記固定ピン保定部とを協働させることにより、複数の部材の貫通孔に固定ピンを貫通させて前記複数の部材を固定することを特徴とする固定ピン押込み工具。
【請求項２】
請求項１に記載の固定ピン押込み工具において、
前記固定ピン保定部は、前記平板部と協働する際に、前記貫通穴を貫通する前記固定ピンの先端部をかわすことのできる形状を有することを特徴とする固定ピン押込み工具。
【請求項３】
請求項２に記載の固定ピン押込み工具であって、
前記固定ピン押込み工具は金属からなり、片手で操作可能な大きさに成形されることを特徴とする固定ピン押込み工具。
【発明の詳細な説明】
【技術分野】
【０００１】
本発明は固定ピン押込み工具に関し、より詳細には柱上変圧器の二次ブッシング保護カバーなど各種カバーへの固定ピン取付けに用いる固定ピン押込み用具に関する。
【背景技術】
【０００２】
電力線や通信線の屋外配線には、風雨などの自然現象による破損や、人間や動物が誤って触れたりするのを防ぐため、接続部等に保護用のカバーが被せられる。こうしたカバーの例としては、柱上変圧器の二次ブッシング保護カバーや、電柱用の支線カバーなどが挙げられる。
【０００３】
カバーは一般にプラスチックを用いて作製され、図３に示すような固定ピンを複数用いて固定される。図示するように、固定ピン（７）は、先端部（８）が軸方向の溝（１１）を有する円錐状に、底部（９）が円盤状に、先端部（８）と底部（９）との間の軸部（１０）が円柱状に形成されている。この固定ピン（７）を複数の部材の貫通孔に貫通させることにより、接着剤や特別な部品等を用いることなく、これらの部材を容易に且つしっかりと固定することができる。貫通孔の直径は、固定ピン先端部（８）の円錐の底面直径および底部（９）の円盤の直径よりも小さく、軸部（１０）の円柱の直径よりも大きい。したがって、貫通孔を貫通したピン（７）が抜けることはない。
【０００４】
このような固定ピン（７）を用いて、例えば図４に示す柱上変圧器の二次ブッシング保護カバー（１２）を固定することができる。保護カバー（１２）は、左右対称の２つのプラスチック製部材（１３・１３′）からなる筐体で、各部材の対応する位置に貫通孔が設けられている。
【０００５】
まず、各部材（１３・１３′）の貫通孔同士の位置を合わせ、固定ピンの先端部（８）をあてがう。次に、作業者が指先に力を込めて固定ピンを押込むと、先端部分（８）が孔を貫通し、２つの部材（１３・１３′）はともに固定ピンの先端部（８）と底部（９）との間に収まる。この一連の作業を他の貫通孔についても行うことにより、保護カバー（１２）を固定する。
【０００６】
また、例えば特許文献１には、前述した固定ピンと同様の形状を有するボタンにより通信ケーブルに保護カバーを取付けるための通信ケーブル保護カバー取付け工具が開示されている。この工具は、対向する把持板でボタンを貫通孔に押込む構造を有し、架空通信ケーブルに地上からの操作によって安全に保護カバーを取付けることができる。
【特許文献１】実公平６−４９０４８号公報
【発明の開示】
【発明が解決しようとする課題】
【０００７】
ところで、固定ピンの押込みを手作業により行う場合には、作業者が両手の指先に大きな力を込める必要があり、押込回数が増加すると作業者に大きな負担がかかる。また、押込んだはずみで固定ピンと固定する部材との間などに指を挟んでしまう危険性がある。
【０００８】
さらに、例えば柱上変圧器の二次ブッシングにケーブルを接続した後で固定ピンにより保護カバーを固定する際には、カバー内部で多くの端子やケーブルなどが競り合うため、２つの部材の対応する貫通孔同士を合わせることが難しく、したがって固定ピンを押込むのが困難である。あるいは、支線カバーのように柔らかい材質のカバーの場合には、力を込めると貫通孔が逃げてしまい、固定ピンを押込みにくい。
一方、特許文献１に記載の保護カバー取付け工具を用いて作業する場合には、指を痛める心配はないが、工具の使用が高架のケーブル等にカバーを取付ける場合に限られ、手元での作業には使用できなかった。
【課題を解決するための手段】
【０００９】
これらの問題点に鑑み本発明が提供するのは、一対の操作レバーを回動可能に交叉枢着させてなる固定ピン押込み工具である。操作レバーのうち第１操作レバーは一端に第１握持部を、他端に平板部を備え、第２操作レバーは一端に第２握持部を、他端に固定ピン保定部を備え、第１操作レバーおよび第２操作レバーを握持内方向に操作して平板部と固定ピン保定部とを協働させることにより、複数の部材の貫通孔に固定ピンを貫通させてこれらの部材を固定することができる。
また、この固定ピン押込み工具において、固定ピン保定部は、平板部と協働する際に、貫通穴を貫通する固定ピンの先端部をかわすことのできる形状を有する。
さらに、この固定ピン押込み工具は金属からなり、片手で操作可能な大きさに成形される。
【発明の効果】
【００１０】
本発明によれば、手作業によって固定ピンを押込む場合に比べ力を要さず、短時間に効率的に作業を行うことができる上、指を挟むことなく安全に押込み作業を行うことができる。
また、貫通孔がずれやすい場合にも、固定ピンを確実に捕まえて押込むことができる。したがって、従来作業が困難であったケーブル接続後の二次ブッシング保護カバーや、柔らかい材質の支線ガードであっても、容易に固定ピンを押込むことができる。
さらに、前述した二次ブッシング保護カバーや支線ガードを固定するための固定ピンのみならず、同様の様々な固定ピンの押込みにも用いることができる。また、小型で携帯が可能であり、作業場所を選ばず使用できる。
【発明を実施するための最良の形態】
【００１１】
本発明の実施形態を図面を参照して説明する。
図１に示すのは、本発明による固定ピン押込み工具（１）である。本実施例においては、この工具（１）を用いて固定ピン（７）を押込むことにより、図４の二次ブッシング保護カバー（１２）を固定する場合を説明する。
前述したように、二次ブッシング保護カバー（１２）は、部材Ａ（１３）および部材Ａ′（１３′）から構成される。部材Ａ（１３）と部材Ａ′（１３′）とは左右対称に形成され、相対する位置に複数の貫通孔を有する。作業の際にはこの貫通孔と同数の固定ピン（７）を用意する。
【００１２】
複数の貫通孔のうち、１組の相対する貫通孔Ａ（１４）と貫通孔Ａ′（１４′）との位置を合わせ、固定ピン（７）の先端を貫通孔Ａ（１４）または貫通孔Ａ′（１４′）のいずれかにあてがう。これを図５に示す。
作業者は、固定ピン（７）を貫通孔Ａ（１４）および貫通孔Ａ′（１４′）の位置に配置した状態で、固定ピン押込み工具（１）の第１操作レバー（２ａ）および第２操作レバー（２ｂ）の各握持部（３ａおよび３ｂ）を握持外方向へ操作する。この操作により、第１操作レバー（２ａ）先端の平板部（４）および第２操作レバー（２ｂ）の固定ピン保定部（５）も握持外方向に広がる。
【００１３】
このとき、平板部（４）と保定部（５）とが離隔した状態で、固定ピン（７）の先端部（８）側には固定ピン保定部（５）が、底部（９）側には平板部（４）がくるように工具（１）を配置する。その後、図６に示すように、作業者が第１操作レバー（２ａ）および第２操作レバー（２ｂ）の握持部（３ａおよび３ｂ）を握ると、平板部（４）と固定ピン保定部（５）とが接近する。
平板部（４）が固定ピン（７）の底部（９）を押し、保定部（５）が貫通孔Ａ′（１４′）の周囲の部材１３′を保持することにより図７に示すように、固定ピン（７）の先端部（８）が貫通孔Ａ（１４）および貫通孔Ａ′（１４′）を貫通する。
【００１４】
本実施例においては、工具（１）の固定ピン保定部（５）は図２（ａ）のように管状に形成される。これは、平板部（４）と保定部（５）とを接近させたときに、保定部（５）が固定ピン（７）の先端部（８）をかわすことができるようにするためである。同時に、保定部（５）は固定ピン（７）の先端部（８）を保定して逃がさないので、押込み作業が容易になる。
【００１５】
保定部（５）の形状は管状には限られず、図２（ｂ）〜（ｄ）に示すように板状に成形して先端部に孔を設けたり（５ｂ）、半円形の切欠き部を設けたり（５ｃ）、あるいは側部に半円形の切欠き部を設ける（５ｄ）ことも可能である。
固定ピン（７）の先端部（８）が貫通孔Ａ（１４）およびＡ′（１４′）を貫通すると、部材Ａ（１３）および部材Ａ′（１３′）が先端部（８）と底部（９）との間に収まり、固定される。二次ブッシング保護カバー（１２）の場合、複数の貫通孔を有するので、他の各貫通孔についても同様に固定ピン（７）の押込み作業を行うことにより、しっかりと固定することができる。
【００１６】
本実施例においては、固定ピン押込み工具（１）が２つの部材（１３・１３′）からなる二次ブッシング保護カバー（１２）を固定ピン（７）で固定する場合を説明したが、本発明の工具（１）は、カバー（１２）に限らず、貫通穴を有する別の複数の部材を固定ピンにより固定する場合にも用いることができる。
また、本発明の別の実施例においては、予めいずれかの部材の貫通孔に工具（１）を用いて固定ピン（７）を貫通させておき、残った部材の貫通孔には後から固定ピン（７）を貫通させてもよい。あるいは、固定ピン（７）の底部（９）を一体に製造した部材と貫通孔を有する部材とを固定する場合に用いることも可能である。
【図面の簡単な説明】
【００１７】
【図１】本発明による固定ピン押込み工具の斜視図。
【図２】（ａ）、（ｂ）、（ｃ）、（ｄ）は本発明による固定ピン押込み工具の先端部を拡大した図。
【図３】固定ピンの側面図。
【図４】二次ブッシング保護カバーの斜視図。
【図５】本発明の実施例を説明する図。
【図６】本発明の実施例を説明する図。
【図７】本発明の実施例を説明する図。
【符号の説明】
【００１８】
１  固定ピン押込み工具
２ａ  第１操作レバー
２ｂ  第２操作レバー
３ａ  第１握持部
３ｂ  第２握持部
４  平板部
５  固定ピン保定部
５ａ  固定ピン保定部ａ
５ｂ  固定ピン保定部ｂ
５ｃ  固定ピン保定部ｃ
５ｄ  固定ピン保定部ｄ
６  枢着部
７  固定ピン
８  先端部
９  底部
１０  軸部
１１  溝
１２  二次ブッシング保護カバー
１３  部材Ａ
１３′  部材Ａ′
１４  貫通孔Ａ
１４′  貫通孔Ａ′
【図１】
2007005413.tif 000003
【図２】
2007005413.tif 000004
【図３】
2007005413.tif 000005
【図４】
2007005413.tif 000006
【図５】
2007005413.tif 000007
【図６】
2007005413.tif 000008
【図７】
2007005413.tif 000009